(57)【要約】【課題】無線電話ハンドセット及びそのユーザインターフェイスを提供する。【解決手段】無線電話ハンドセットは、コールを発するときにユーザの顔に向けられる前面を有するハウジングと、音声インターフェイス及びタッチインターフェイスより成るユーザインターフェイスとを備えている。タッチインターフェイスは、音声インターフェイスに供給される音声信号の処理を指令するためのタッチ入力手段２６をハウジング前面に対して別の面２０に含む。【選択図】図１
2008312262.tif 000002
【特許請求の範囲】
【請求項１】
コールを発するときにユーザの顔に向けられる前面を有するハウジングを備えた無線電話ハンドセットであって、音声インターフェイス及びタッチインターフェイスより成るユーザインターフェイスを備えたハンドセットにおいて、上記タッチインターフェイスは、音声インターフェイスに供給される音声信号の処理を指令するためのタッチ入力手段をハウジングの別の面に備えたことを特徴とする無線電話ハンドセット。
【請求項２】
上記タッチ入力手段は、ハウジングの上部に向かって設けられる請求項１に記載の無線電話ハンドセット。
【請求項３】
上記タッチ入力手段は、コールを発するときにユーザの手のひらに支持されるハウジングの後面に設けられる請求項１又は２に記載の無線電話ハンドセット。
【請求項４】
上記タッチ入力手段は、ハウジングの上面に設けられる請求項１又は２に記載の無線電話ハンドセット。
【請求項５】
上記ユーザインターフェイスは、ハウジングの前面に設けられたディスプレイを更に備えた請求項１ないし４のいずれかに記載の無線電話ハンドセット。
【請求項６】
上記タッチインターフェイスは、ハウジングの前面に更に別のタッチ入力手段を備えた請求項１ないし５のいずれかに記載の無線電話ハンドセット。
【請求項７】
上記更に別のタッチ入力手段は、数字キーパッド、アルファニューメリックキーパッド、電源キー、ファンクションキー、ファンクションキーのグループのうちの１つ以上を含む請求項６に記載の無線電話ハンドセット。
【請求項８】
上記タッチ入力手段は、更に別のファンクションを与える請求項１ないし７のいずれかに記載の無線電話ハンドセット。
【請求項９】
上記タッチ入力手段は、コールファンクションを与える請求項８に記載の無線電話ハンドセット。
【請求項１０】
上記タッチ入力手段は、ディスプレイの内容を操作する請求項５に記載の、或いは請求項５に従属するときは請求項８又は９に記載の無線電話ハンドセット。
【請求項１１】
上記タッチ入力手段は、音声記録モードで動作して、音声インターフェイスに供給される音声信号に対応するデータの記憶を指令する請求項１ないし１０のいずれかに記載の無線電話ハンドセット。
【請求項１２】
上記音声インターフェイスは、ユーザから音声信号を受け取るための音声入力手段を備え、そして上記タッチ入力手段は、該音声入力手段により受け取られた音声信号に対応するデータの記憶を指令する請求項５に記載の無線電話ハンドセット。
【請求項１３】
上記音声インターフェイスは、無線電話により受信された無線信号に対応する音声信号を出力するための音声出力手段を備え、そして上記タッチ入力手段は、該音声出力手段により出力される音声信号に対応するデータの記憶を指令する請求項５又は６に記載の無線電話ハンドセット。
【請求項１４】
メモリ手段を更に備え、上記タッチ入力手段は、音声確認モードで動作して、メモリ手段の内容を制御するために音声インターフェイスに供給される音声信号の処理を指令する請求項１ないし１３のいずれかに記載の無線電話ハンドセット。
【請求項１５】
上記タッチ入力手段は、メモリ手段の内容を検索するために音声信号の処理を指令する請求項８に記載の無線電話ハンドセット。
【発明の詳細な説明】
【技術分野】
【０００１】
本発明は、無線電話ハンドセット及びそれに対するユーザインターフェイスに係る。
【背景技術】
【０００２】
ユーザインターフェイス、即ちユーザと相互作用するハンドセットの要素は、極めて重要なものである。この重要なインターフェイスの条件は、電話を操作し易いこと、携帯し易いこと、及び快適に使用できることである。
これまで、ハンドセットの前面のデザイン、ハンドセットの小型化、及びユーザに情報を明確に表示できる比較的大きなディスプレイの設計に重点が置かれてきた。ハンドセットが小型化されるにつれて、片手で充分操作できるようになった。これに伴い、別の必要条件が出てきた。
【発明の開示】
【発明が解決しようとする課題】
【０００３】
無線電話の片手操作は、明らかに効果的である。これは、ユーザが電話を片手に持ったときに快適に操作できると分かる場合にのみ効率的に実現できる。近代的な電話は益々小型になってきているので、電話の設計者は、電話を設計するときに片手操作をし易くするよう努めなければならない。
【課題を解決するための手段】
【０００４】
本発明によれば、コールを発するときにユーザの顔に向けられる前面を有するハウジングを備えた無線電話ハンドセットであって、音声インターフェイス及びタッチインターフェイスより成るユーザインターフェイスを備えたハンドセットにおいて、タッチインターフェイスが、音声インターフェイスに供給される音声信号の処理を指令するためのタッチ入力手段をハウジングの別の面に備えた無線電話ハンドセットが提供される。
ハンドセットの前面から離れたところにユーザ入力手段を設けることにより、ユーザが音声インターフェイス（例えば、スピーカ及び／又はマイクロホン）を使用するとき、例えばコールを発するときに、ユーザにとってアクセスし易くなる。タッチ入力手段は、ハンドセットの片手操作を促進するためにハウジングの上部に向かって設けられるのが好ましい。というのは、ハンドセットを持った手の指でタッチ入力手段に容易に届くからである。
【０００５】
タッチ入力手段は、ハウジングの上面又は側面に設けられる。上面に設けた場合には、例えばハンドセットが机の上でスピーカモードにあるときにタッチ入力手段に容易にアクセスすることができる。しかしながら、ハンドセットを片手で操作するときにユーザにとって非常に快適な位置であることからタッチ入力手段は電話の後面に配置するのがより適当である。又、製造が簡単であるためにタッチ入力手段を側面に配置するのが好ましい。キーのような部品の配置は、Ｚ軸に沿うように制限することができる。
上記したように、ハンドセットには、音声インターフェイスに供給される音声信号の処理を指令するためのタッチ入力手段が設けられる。このタッチ入力手段は、例えば、音声確認及び／又は音声記録機能を与える。音声確認モードで動作するときには、タッチ入力手段は、ユーザの命令に基づいてデータの記憶及び検索を指令する。例えば、電話番号を記憶及び検索するように電話のメモリの内容を制御することができる。或いは又、音声記録モードで動作するときには、タッチ入力手段は、ユーザの音声、他の当事者の音声或いはその両方を、コールの選択された部分に対して又は全体にわたって記録することができる。
【０００６】
ハンドセットはディスプレイを備え、そしてタッチ入力手段はディスプレイの内容を操作できる。又、タッチ入力手段は、他のコールファンクション（例えばコール送出／終了）のような他のファンクションも与えることができる。又、ハンドセットは、更に別のタッチ入力手段（アルファニューメリックキーパッド、電源キー、他のファンクションキー等）のような更に別のユーザインターフェイス特徴も備えている。これらの更に別の特徴は、電話の種々の面に現れてもよいが、コールファンクションに関連したものは、ハンドセットの背面に現れるのが好ましい。
【発明を実施するための最良の形態】
【０００７】
以下、添付図面の図１ないし１１を参照して本発明を詳細に説明する。
図１は、本発明の実施形態によるハンドセット１を示す。このハンドセット１は、キーパッド７、ディスプレイ３、オン／オフボタン４、イヤホン５及びマイクロホン６を有するユーザインターフェイスを備えている。キーパッドは、アルファニューメリックキーの形態の第１キーグループ７を有し、これにより、ユーザは、電話番号を入力したり、テキストメッセージ（ＳＭＳ）を書き込んだり、名前（電話番号に関連した）を書き込んだりすることができる。ユーザは、第１キーグループを使用して、主として電話にデータを入力する（事象の入力）。
更に、キーパッドは、この実施形態では、電話の現在状態に基づいて機能する操作キー８又はソフトキーより成る第２キーグループも備えている。操作キー８のデフォールト機能又は現在機能がディスプレイ３の所定の領域に表示される。第２キーグループは、更に、スクロールキー９を備え、これにより、ユーザは、電話のメニューループにおいて１つの項目からその前の項目又はその後の項目へ選択的にスクロールできる一方、操作キーの操作により主メニューループに関連した項目のもとでサブメニューループへアクセスすることができる。キーパッドは、更に、コールを開始及び終了するのに各々使用できる送出キー１０ａ及び終了キー１０ｂも有している。
【０００８】
ハンドセットは、ＧＳＭ及びＡＭＰＳセルラーネットワークのような電話ネットワークや、種々の形態のコードレス電話システムに関連して使用することができる。マイクロホンは、ユーザのスピーチを記録し、それにより形成されたアナログ信号は、Ａ／ＤコンバータにおいてＡ／Ｄ変換された後に、スピーチが音声コーデックユニットにおいてエンコードされる。エンコードされたスピーチ信号は、例えば、ＧＳＭターミナルソフトウェアをサポートする物理的レイヤプロセッサへ転送される。又、プロセッサは、ディスプレイ及びキーパッド（並びにＳＩＭ、データ、電源、ＲＡＭ、ＲＯＭ等）を含む装置の周辺ユニットへのインターフェイスも形成する。プロセッサは、基本帯域コンバータ及びチャンネルイコライザを経てＲＦ部分と通信する。音声コーデックユニットは、プロセッサからＤ／Ａコンバータを経てイヤホンへ転送される信号をスピーチデコードする。
【０００９】
この実施形態では、図４に見られるカバー４１であるハンドセットコネクタも電話に設けられる。ハンドセットがコネクタに接続されると、プロセッサは、デコードされた受信スピーチ信号を、電話のイヤホンではなくハンドセットのスピーカへ送る。これは、プライバシーを改善する。
ユーザインターフェイス特徴をハンドセットの前面から別の面へ移動することは、電話のサイズ、特に長さを減少できるようにする。更に、人間工学的に改善されたハンドセットをしばしば生じさせる。例えば、ハンドセットの後面に配置されたキーは、片手操作を助成し、親指以外の指で操作されるときに正確に操作できるようにし、そしてユーザがコールを発するときにアクセスし易いものである。又、ユーザがディスプレイを見て、例えば、メニューオプションを選択するときに、電話の前面に親指が存在することによりディスプレイが隠れることがなくなる。ハンドセットの前面から離れて配置された種々の形式のユーザインターフェイス入力手段が添付図面に例示されている。
【００１０】
図３は、図１に示すハンドセットの後部カバー２０を示す。掘られたくぼみ２１は、その一部分がバッテリパック２２の上のハンドセットの後部カバーに位置し、そしてその一部分がバッテリパック２２の後部ケーシングに位置してハンドセット１の後部カバー２０の上部に向かって延びていることが明らかである。掘られたくぼみ２１は、実質的に、ハンドアウトのディスプレイ３の後方に配置され、そしてハンドセットのイヤホン５がユーザの耳に保持されるときにユーザの指を快適に受け入れるように構成された位置にある。
くぼみは、バンク２３、２４により、ハンドセットの後部カバー及びバッテリパックの縁内に横方向に画成される。掘られたくぼみを追加することにより、ユーザの１本以上の指がこのくぼみに入れられた場合に手の中の電話の感触が増すので、ユーザが特定の仕方で電話を保持し易くする。くぼみの位置を利用して、ユーザがハンドセットを所定の仕方で保持するのを助成し、これを用いて、無線電話ハンドセットの操作性、特にハンドセットの片手操作に関連した操作性を改善することができる。
【００１１】
掘られたくぼみは、ハンドセットの人間工学特性を改善する。このような配置は、ユーザがハンドセットをより快適に操作できるようにする。ハンドセットを片手で持ちそして親指でハンドセットの前面のキーを操作することは特に快適である。本発明のこの実施形態により掘られたくぼみをもつハンドセットに手を重ねるときにとる自然の位置は、ユーザの親指が電話の前面にわたって自然に動くときに親指が届く範囲内にアルファニューメリックキー及び特にスクロールキーが存在することを意味する。スクロールキーを操作するために垂直軸に沿って親指を不自然に伸ばすことは不要である。又、スクロールキーを押すには、親指をソケットから動かすだけでよく、その他の手の動きは必要としない。従って、同じ手でハンドセットを持って容易に操作することができる。
【００１２】
スクロールキー９の位置は、ハンドセットの人間工学的特性を間接的に改善する。このような位置は、ユーザが快適にキーを操作できるようにする。これは、ユーザの親指が電話の前面にわたって自然に動くときにスクロールキーの２つの押圧素子がユーザの親指の到達範囲内にあるので特に快適である。垂直軸に沿って親指を不自然に伸ばすことは不要である。又、スクロールキー９のこれら素子を押圧するときには、親指をソケットから動かすだけでよく、その他の手の動きは必要でない。従って、同じ手でハンドセットを持ってスクロールキーを容易に操作できる。掘られたくぼみ２１は、この実施形態では、一部分がハンドセットの後部カバーにそして一部分がバッテリの後部ケーシングに配置されて示されているが、他の実施形態では、そのいずれかに完全に形成されてもよい。
掘られたくぼみ２１は、図示されたものより大きくても小さくてもよい。くぼみの設計及び位置は、重要ではないが、無線電話ハンドセット１を通話中に耳に保持するときにユーザの指先を受け入れるように構成されるのが好ましい。しかしながら、バッテリ２２の真上にくぼみの少なくとも一部分が位置することは、バッテリを引き出すための解除機構２５をユーザが押し易くする。
【００１３】
この図では、ハンドセットは、ハンドセットの後部カバー２０の上隅に単一キー２６の形態のユーザインターフェイスを備えている。このキーは、専用の機能を有してもよいし、又はソフトキーであってもよい。
例えば、キー２６は、音声確認機能のような専用の機能を有してもよく、これは、ユーザがハンドセットのメモリにデータを記憶したりそこからデータを検索したりできるようにする（例えば、電話帳機能）。このような場合に、ユーザはキーを押して音声確認モードを作動させる。次いで、ユーザは、必要な命令／データを口頭でマイクロホン６に与え、マイクロホンは、それらを電気信号に変換し、次いで、プロセッサがそれを処理する。プロセッサは、命令を所定の記憶された命令と一致させ、それに応じてハンドセットを制御する。例えば、命令がセーブであった場合には、プロセッサは、ユーザが口頭で又はアルファニューメリックキーパッドを経て入力するその後のデータをセーブする。或いは又、コマンドが電話帳から電話番号を検索するものであった場合には、プロセッサは、ユーザにより入力されたデータを記憶された電話帳入力と一致させるように努める。一致が生じた場合には、データが検索されそして理想的にはスピーカにより出力され、そして更にディスプレイ３に表示される。次いで、キー２６を使用して、検索されたデータが正しいかどうか照合し、従って、番号をダイヤルすることができる。コールの終わりに、ユーザは、このボタンをもう一度押すことによりコールを終わらせることができる。
【００１４】
このキーの別の専用機能は、音声記録機能である。この場合には、ユーザは、コール中にキーを押して通話の全部又は一部分を記録することができる（例えばある時間中だけ、及び／又はユーザの音声だけ、又は他の当事者の音声だけ）。例えば、ユーザは、キーを一度押すと、記録を開始し、そしてもう一度押すと、記録を終了するようにすることができる。
一方、キー２６は、ソフトキーであってもよい。例えば、このキーは、上記の両方の機能を与えてもよく、即ち電話がアイドル状態にあるときに（例えば、コールが進行中でないときに）音声確認機能を与え、そしてコールが進行中であるときに（又は少なくとも音声信号がイヤホン及び／又はマイクロホンにより受信されたときに）音声記録機能を与えてもよい。
【００１５】
図６は、ハンドセットの後部における別のユーザインターフェイス特徴を示している。このハンドセットは、ディスプレイの内容を操作するユーザインターフェイス入力６０を備えている。この入力６０は、例えば、タッチスクリーンや、単一キーや、キーのアレーや、感圧領域（１つ又は複数）を有するマット等でよい。ここに示す実施形態では、ユーザインターフェイス入力６０は、複数の感圧領域６４−６６を有するタッチパッドである。ディスプレイは、図６ｂに６１−６３で示されたその対応領域を有する。タッチパッドの対応領域は、ディスプレイの領域と鏡像関係にあるのが好ましい。これは、ディスプレイの特定領域に示された機能をユーザが正確に選択する上で助けとなる。入力６０は、ソフトキー又は両方の組合せとして働く専用の機能を有する領域を備えてもよい。ここに示す例では、タッチパッドの領域６５及び６６は、対応するディスプレイ領域６２及び６３に指示された専用の機能、即ちコール送出及び終了機能を有する。しかしながら、タッチパッドの領域６４は、例えば図３のキー２６と同様に、ソフトキーとして動作してもよい。その機能は、ディスプレイの対応領域のアイコンにより指示され、従って、ユーザは、電話がアイドル状態にあるときに（例えば、コールが進行中でないときに）音声確認機能を、そしてコールが進行中であるときに（又は少なくともイヤホン及び／又はマイクロホンにより音声信号が受け取られたときに）音声記録機能を選択するのに、ハンドセットの後部のどの領域を押すべきかが分かる。
【００１６】
又、ハンドセットは、個別のキー６７を有する。このようなキーの利点は、例えば、電話のディスプレイを見なくても、コール中にユーザがこれを容易に見つけられることである。従って、入力６０に関連するのではなく（又はそこへの近道として）、このキーに関連した音声記録機能のようなインコール機能をもつことが好ましい。
ディスプレイの内容を操作するためのユーザインターフェイス入力６０をハンドセットの後部に設けることは、多数の利点を有する。主として、これは、ユーザが片手でハンドセットを持って表示情報を制御できるようにする。実際のディスプレイには個別のタッチスクリーンをもたせることが効果的である。というのは、ディスプレイが汚れず、そしてその内容が汚れやユーザの手で隠れることがなくなるからである。更に、片手使用の場合に、電話の前面のユーザインターフェイス入力は、親指操作を必要とするが、その後面にこのような入力があると、親指より小さく敏捷な人指し指で操作することができ、ひいては、高い正確さを与える。これは、ハンドセットのサイズの減少が問題である場合に重要であることが明らかである。
更に別の問題は、ハンドセットの前面からファンクションキーを排除し、その長さを減少できるようにすることである。例えば、ディスプレイに領域６２、６３を設けそして図６ａのようにタッチパッド６０に対応領域６５、６６を設けると、送出及び終了キー（図１に１０ａ及びｂで示す）が電話の前面から排除される。
【００１７】
図７は、ディスプレイのデータを操作する別のユーザインターフェイス入力７０をもつハンドセットを示し、これは、電話の前面のファンクションキーの必要性を排除するものである。この場合に、メニュー及びメモリ機能に従来関連した図１のソフトキー８は入力７０の領域７１及び７２に置き換えられ、そして送出及び終了キー１０ａ及び１０ｂは単一領域７５に置き換えられている。又、この実施形態も、個別のキー７４を有し、これも、ハンドセットの音声インターフェイスに供給される音声信号の処理に関連した機能、例えば、音声確認及び／又は記録機能に使用される。
【００１８】
図８は、ハンドセットの後部の別のユーザインターフェイス入力を示す。この場合に、ハンドセットは、ディスプレイに関連した操作又はソフトキー８１と、前記の例と同様に専用機能をもつキー又はソフトキーである別のキー８２とを備えている。この場合も、このキー８２は、ユーザが例えばコール中にハンドセットを顔に向けたときに必要とされる機能（１つ又は複数）に適したものであるのが理想的である。ソフトキー８１は、必要なメニューオプション等をディスプレイから選択するのに使用することができる。このような動作は、図１２ないし１４に示されており、以下に説明する。
それ自体知られたようにコントローラユニットとして働くプロセッサがユーザインターフェイスに接続される。従って、電話のアクティビティを監視しそしてそれに応答してディスプレイを制御するのは、プロセッサである。それ故、状態変化事象の発生を検出しそして電話の状態、ひいては、表示テキストを変更するのは、プロセッサである。状態変化事象は、ユーザがキーパッドを操作したときにユーザにより生じる（これは入力事象と称する）と共に、電話のネットワーク接続又はユーザの制御を越える別の事象によっても生じる（これは非ユーザ事象と称する）。非ユーザ事象は、コール設定中の状態変化、バッテリ電圧の変化、アンテナ状態の変化、ＳＭＣの受信のメッセージ等を含む。
【００１９】
単一ソフトキーの使用は、電話が図１２に示す複数の所定の状態４０．１ないし４０．ｎをとり得るという考え方に基づく。これらの状態４０．１ないし４０．ｎにおいて複数の動作（オプション４１．１ないし４１．ｎ）が実行される。状態４０．１に到達したときの表示像は、電話の電話帳に含まれた個人の電話番号又は名前であり、これは「状態」により指示される。又、「状態」は、「入呼び」、「受信Ｅメール」、「受信ＳＭＳ」等もカバーする。ディスプレイが電話番号を含む場合には、デフォールトファンクション４２．１ないし４２．ｎが、「コール」となる。スクロールキー９は、デフォールトファンクションから、そのデフォールトファンクションが属する考えられるファンクションのグループへとスクロールすることができる。好ましくは、スクロールキー９は、デフォールトファンクションと、考えられるファンクションのグループ（オプション）との間でスクロールするが、このグループがソフトキー８１によって選択されると、考えられるファンクションのグループにおける項目間でのスクロールに切り換わる。この状態は、このような動作中に維持される。
【００２０】
図１２から明らかなように、状態変化事象は、ある状態から別の状態への変化を生じさせる。新たな状態は、古い状態及び状態変化事象の性質に依存する。確立されたコール（「コール確立」状態）中に、ソフトキー８１のデフォールトファンクションは、好ましい実施形態では、「終了」となる。新たな入呼びが「待機中」である場合には、ユーザは、スクロールキー９を用いて、コールを中断せずに、「終了」、「参加」、「応答」及び「交換」のような項目を含むオプションリストをディスプレイ上でスクロールする。
各状態４０．１ないし４０．ｎは、その状態に対して厳密に考えられる所定のグループのファンクション、アクション又はオプション４１．１ないし４１．ｎに関連される。デフォールトファンクション４２．１ないし４２．ｎとして働く好ましいファンクションは、これらのグループの各々において指示される。この指示は、プログラマーによりプログラミング中に行われるか、ユーザによりデフォールトファンクションの再定義を介して行われるか、或いは個々のファンクションの使用頻度を記録しそして最も頻繁に使用されるものを各グループにおいてデフォールトファンクションとして指定する（ユーザが受け入れるかどうかで任意である）という点で電話自体によって行われる。
【００２１】
電話がその状態を変えるときに、ソフトキー８１は、デフォールトファンクションがアクチベートされる場合にそれを実行することができ、そしてユーザは、スクロールキー９によりデフォールトファンクションとオプションの全グループとの間でスクロールすることができる。オプションのグループがソフトキーで選択される場合には、ユーザは、スクロールキーでオプションのグループをスクロールしそして所望の（指定の）ファンクションをソフトキーで選択することができる。
ファンクションがソフトキー８１で選択されると、プロセッサがその関連プログラムシーケンスを実行して、そのファンクションを実行する。
図１３は、本発明の好ましい実施形態により電話帳から電話番号を選択するためのソフトキー８１の役割を示す。表示テキストは、操作されたキーパッドのキーで同時に指示される（又は音声確認システムの音声に応答して）。ディスプレイ３は、ソフトキー８のファンクションをディスプレイの所定領域（ソフトキー表示）１２１における強調されたバーとして示す表示像１２０（「アイドルモード」状態）を有する。この実施形態では、アイドルモードにおけるソフトキー８１の機能は、電話のメインメニューループへのアクセスを得ることである。表示１２０の上部は、関連ネットワークオペレータの識別（ここではＴＤＫ−ＭＯＢＩＬ）を示す。この表示は、更に、アンテナ信号強度の指示子及びバッテリ電圧の指示子を含む。これらは、デフォールトファンクションの説明にとって重要ではないので、図示されていない。
【００２２】
ソフトキー８１が操作されると、コールの確立が試みられ、これは、電話がプロセッサの制御のもとで「コール確立状態」へ切り換わるようにし、そしてソフトキー８１の新たな機能「終了」がここでソフトキー表示１２１に示される。これと同時に、ディスプレイには、コールを確立するよう試みたことが示され、これは、「ｃａｌｌｉｎｇ．．．」という指示で行われる。接続を確立すべき番号は、ディスプレイのメイン領域１２３に依然表示される。
スクロールキー９は、アイドルモードの表示像１２０の段階において、メインメニューループのもとで電話の電話帳へのアクセスを得るのに使用される。これは、電話帳の第１の記憶位置の電話番号及び名前コードをディスプレイに表示させる。電話は、「番号取り扱い状態」へと切り換わり、そしてソフトキー８１の新たなデフォールトファンクション「コール」がここでソフトキー表示１２１に指示される。スクロールキー９を使用し続けることにより、ユーザは、希望する番号が見つかるまで電話帳をスクロールすることができる。ソフトキー８１は、その「コール」ファンクションをデフォールトファンクションとして維持するので、ソフトキー８１を押すことにより、依然としてコールを確立することができる。次いで、コールを次のように確立し、終了することができる。
【００２３】
コールが確立されると、ディスプレイの上部の「接続済」の表示及びコールが確立されたという電話の指示により、それを指示することができる。この場合の識別は、名前コード１２３ａである。ソフトキー８１のデフォールトファンクションは、依然として「終了」であり、これはソフトキー表示１２１に示される。ソフトキー８１がもう一度操作された場合には、コールが中断され、そして電話は、アイドルモード表示像１２０で「アイドルモード状態」に復帰する。
図１４は、ソフトキー８１を使用して、ディスプレイ上の別のメニューを選択するところを示す。表示像１２０（アイドルモード表示）での「アイドルモード状態」は、ソフトキー８１を操作することによりメインメニューに切り換えることができる。ここでは、電話帳へのアクセスがデフォールトとして与えられる。ユーザがこれを選択した場合には、像１２６によりディスプレイに示された電話帳の個々のサブメニュー項目の間でユーザが選択を行う。或いは、「アイドルモード状態」の間に、電話番号を入力し始めた場合には、電話が表示像１２７での「番号取り扱い状態」へと切り換わり、「コール」がデフォールトファンクションになる。ユーザは、この場合に、スクロールキー９を用いてディスプレイ上のファンクションをスクロールすることによりこの状態の考えられるファンクションへ切り換わる（表示像１２８）。これらのファンクションは、電話帳のサブメニュー項目（表示像１２６）を含み、必要な項目へカーソルをスクロールしてそれを強調し、そしてソフトキー８１を押すことにより選択を行うことができる。そうではなくて、ユーザが「番号取り扱い状態」においてデフォールトファンクションを選択した場合には、電話がコールの確立を開始する（表示像１２９）。
【００２４】
図８において、スクロールキー９は、電話の前面にある。しかしながら、必要なファンクションキーの数を最小にしそしてそれらを電話の前面から完全に排除するために電話の後面に配置することもできる。１つのこのような構成が図９に示されており、この図は、ハンドセットの後面にある単一のソフトキー９１及びスクロールキー９２を示している。スクロールキーは、キーが前面にあるときにユーザの親指について上記したように、ハンドセットの人間工学特性を改善しそしてユーザの人指し指での操作を快適にするために、傾斜されている。
図１０及び１１は、ハンドセットの後面に設けられた別のユーザインターフェイス入力手段を示す。これらは、ディスプレイ上のメニューオプションを制御する指操作可能なローリング手段１０１、１１１である。図１０は、単一の軸に沿って２つの方向にスクロール動作を与えることのできるフィンガホイールを示しそして図１１は、更に別の軸に沿ってスクロール動作を与えることのできるフィンガボールを示す。ディスプレイの操作は、ローリング手段の回転方向及び速度に対応する制御信号に基づきプロセッサ制御のもとで行われる。これは、ＥＰ０４６３８５６に詳細に説明されている。メニューオプションは、ローリング手段を押すか又は個別のキー１０２、１１２を押すことにより選択できる。
【００２５】
以上、本発明の好ましい実施形態を詳細に説明したが、請求の範囲内で種々の変更がなされ得ることが当業者に容易に明らかであろう。
【図面の簡単な説明】
【００２６】
【図１】無線電話ハンドセットの斜視図である。
【図２】図１のハンドセットの側面図である。
【図３】本発明の実施形態による図１の無線電話ハンドセットの後面図である。
【図４】図１のハンドセットの上面図である。
【図５】図１のハンドセットの下面図である。
【図６ａ】本発明の別の実施形態による無線ハンドセットを示す図である。
【図６ｂ】本発明の別の実施形態による無線ハンドセットを示す図である。
【図７ａ】本発明の別の実施形態による無線ハンドセットを示す図である。
【図７ｂ】本発明の別の実施形態による無線ハンドセットを示す図である。
【図８ａ】本発明の別の実施形態による無線ハンドセットを示す図である。
【図８ｂ】本発明の別の実施形態による無線ハンドセットを示す図である。
【図９ａ】本発明の別の実施形態による無線ハンドセットを示す図である。
【図９ｂ】本発明の別の実施形態による無線ハンドセットを示す図である。
【図１０】本発明の別の実施形態による無線ハンドセットを示す図である。
【図１１】本発明の別の実施形態による無線ハンドセットを示す図である。
【図１２】図８のハンドセットの場合のように単一ソフトキーを用いてディスプレイ上で新たなメニューをスクロールするところを示す図である。
【図１３】単一ソフトキーを使用して電話帳から電話番号を選択するところを示す図である。
【図１４】本発明の実施形態に基づきディスプレイ上で別のメニューをスクロールするところを示す図である。
【符号の説明】
【００２７】
１ ハンドセット
３ ディスプレイ
４ オン／オフボタン
５ イヤホン
６ マイクロホン
７ キーパッド
８ 操作キー
９ スクロールキー
１０ａ 送出キー
１０ｂ 終了キー
２０ 後部カバー
２１ くぼみ
２２ バッテリパック
２５ 解除機構
２６ 単一キー
６０、７０ ユーザインターフェイス入力
６４−６６ 感圧領域
６７ 個別のキー
【図１】
2008312262.tif 000003
【図２】
2008312262.tif 000004
【図３】
2008312262.tif 000005
【図４】
2008312262.tif 000006
【図５】
2008312262.tif 000007
【図６ａ】
2008312262.tif 000008
【図６ｂ】
2008312262.tif 000009
【図７ａ】
2008312262.tif 000010
【図７ｂ】
2008312262.tif 000011
【図８ａ】
2008312262.tif 000012
【図８ｂ】
2008312262.tif 000013
【図９ａ】
2008312262.tif 000014
【図９ｂ】
2008312262.tif 000015
【図１０】
2008312262.tif 000016
【図１１】
2008312262.tif 000017
【図１２】
2008312262.tif 000018
【図１３】
2008312262.tif 000019
【図１４】
2008312262.tif 000020
【手続補正書】
【提出日】平成20年9月18日(2008.9.18)
【手続補正１】
【補正対象書類名】特許請求の範囲
【補正対象項目名】全文
【補正方法】変更
【補正の内容】
【特許請求の範囲】
【請求項１】
コールを発するときにユーザの顔に向けて保持される前面を有するハウジング、及び、前記ハウジングの前面に設けられたディスプレイ、音声インターフェイス及びタッチインターフェイスを備えるユーザインターフェイスを備えた無線電話ハンドセットにおいて、
上記タッチインターフェイスは、少なくとも音声認識あるいは音声記録のいずれかの形式で音声インターフェイスに供給される音声信号の処理を指令するよう構成され、且つ、ユーザに前記ディスプレイの内容を操作することを可能とするよう構成された、前記前面及び前記ハンドセットの任意のキーパッドとは反対側のハウジングの別の面に設けられたタッチ入力手段を備える
ことを特徴とする無線電話ハンドセット。
【請求項２】
上記タッチ入力手段は、ハウジングの上部に向かって設けられる請求項１に記載の無線電話ハンドセット。
【請求項３】
コールを発するときにユーザの顔に向けて保持される前面を有するハウジング、及び
音声インターフェイス及びタッチインターフェイスを備えるユーザインターフェイスを備えた無線電話ハンドセットにおいて、
上記タッチインターフェイスは、少なくとも音声認識あるいは音声記録のいずれかの形式で音声インターフェイスに供給される音声信号の処理を指令するよう構成された、前記前面及び前記ハンドセットの任意のキーパッドとは反対側のハウジングの別の面に設けられたタッチ入力手段を備え、前記タッチ入力手段は、ハンドセットを使用しているユーザの指を受け入れるように構成されたくぼみ領域に近接して配置されていることを特徴とする無線電話ハンドセット。
【請求項４】
上記タッチ入力手段は、単一のタッチ入力ボタン手段を備え、ハウジングの上部に向かって設けられる請求項１ないし３のいずれかに記載の無線電話ハンドセット。
【請求項５】
上記タッチ入力手段は、コールを発するときにユーザの手のひらに支持されるハウジングの後面に設けられる請求項１ないし４のいずれかに記載の無線電話ハンドセット。
【請求項６】
上記タッチ入力手段は、ハウジングの上面に設けられる請求項１ないし５のいずれかに記載の無線電話ハンドセット。
【請求項７】
上記ユーザインターフェイスは、ハウジングの前面に設けられたディスプレイを更に備えた請求項１ないし６のいずれかに記載の無線電話ハンドセット。
【請求項８】
上記タッチインターフェイスは、ハウジングの前面に更に別のタッチ入力手段を備えた請求項１ないし７のいずれかに記載の無線電話ハンドセット。
【請求項９】
上記更に別のタッチ入力手段は、数字キーパッド、アルファニューメリックキーパッド、電源キー、ファンクションキー、ファンクションキーのグループのうちの１つ以上を含む請求項８に記載の無線電話ハンドセット。
【請求項１０】
上記タッチ入力手段は、更に別のファンクションを与える請求項１ないし９のいずれかに記載の無線電話ハンドセット。
【請求項１１】
上記タッチ入力手段は、コールファンクションを与える請求項１０に記載の無線電話ハンドセット。
【請求項１２】
上記タッチ入力手段は、ディスプレイの内容を操作する請求項７に記載の、或いは請求項７に従属するときは請求項１０又は１１に記載の無線電話ハンドセット。
【請求項１３】
上記タッチ入力手段は、音声記録モードで動作して、音声インターフェイスに供給される音声信号に対応するデータの記憶を指令する請求項１ないし１２のいずれかに記載の無線電話ハンドセット。
【請求項１４】
上記音声インターフェイスは、ユーザから音声信号を受け取るための音声入力手段を備え、そして上記タッチ入力手段は、該音声入力手段により受け取られた音声信号に対応するデータの記憶を指令する請求項７に記載の無線電話ハンドセット。
【請求項１５】
上記音声インターフェイスは、無線電話により受信された無線信号に対応する音声信号を出力するための音声出力手段を備え、そして上記タッチ入力手段は、該音声出力手段により出力される音声信号に対応するデータの記憶を指令する請求項７又は８に記載の無線電話ハンドセット。
【請求項１６】
メモリ手段を更に備え、上記タッチ入力手段は、音声認識モードで動作して、メモリ手段の内容を制御するために音声インターフェイスに供給される音声信号の処理を指令する請求項１ないし１５のいずれかに記載の無線電話ハンドセット。
【請求項１７】
上記タッチ入力手段は、メモリ手段の内容を検索するために音声信号の処理を指令する請求項１０に記載の無線電話ハンドセット。
【請求項１８】
コールを発するときにユーザの顔に向けて保持される前面を有するハウジング、及び、前記ハウジングの前面に設けられたディスプレイ、音声インターフェイス及びタッチインターフェイスを備えるユーザインターフェイスを備える無線電話ハンドセットであって、前記タッチインターフェイスは、前記前面及び前記ハンドセットの任意のキーパッドとは反対側のハウジングの別の面に設けられたタッチ入力手段を備える、前記無線電話ハンドセットを提供し、
少なくとも音声認識あるいは音声記録のいずれかの形式で音声インターフェイスに供給される音声信号の処理を指令するよう前記タッチ入力手段を構成し、
ユーザに前記ディスプレイの内容を操作することを可能とする前記タッチ入力手段を構成することを含む方法。
【請求項１９】
前記ハンドセットはメモリ手段を更に備え、前記タッチ入力手段は音声認識モードで動作して、メモリ手段の内容を制御するために音声インターフェイスに供給される音声信号の処理を指令する請求項１８に記載の方法。
【請求項２０】
前記メモリ手段の内容を検索するために音声信号の処理を指令するよう前記タッチ入力を構成することを更に備えた請求項１９に記載の方法。
【請求項２１】
コールを発するときにユーザの顔に向けて保持される前面を有するハウジング、及び音声インターフェイス及びタッチインターフェイスを備えるユーザインターフェイスを備える無線電話ハンドセットであって、前記タッチインターフェイスは、前記前面及び前記ハンドセットの任意のキーパッドとは反対側のハウジングの別の面に設けられ、少なくとも音声認識あるいは音声記録のいずれかの形式で音声インターフェイスに供給される音声信号の処理を指令するよう構成されたタッチ入力手段を備える、前記無線電話ハンドセットを提供し、
前記タッチ入力手段を、ハンドセットを使用しているユーザの指を受け入れるように構成されたくぼみ領域に近接して配置することを含む方法。
【請求項２２】
上記ユーザインターフェイスは、ハウジングの前面に設けられたディスプレイを更に備えた請求項２１に記載の方法。
【請求項２３】
ユーザに前記ディスプレイの内容を操作することを可能とするよう上記タッチ入力手段を構成することを更に備えた請求項２２に記載の方法。